(57)【要約】      （修正有）【課題】音楽や音声等を聴きながら飲料を飲むことのできる飲料容器の蓋と、この蓋を備えたカップ状飲料容器とを提供する。【解決手段】蓋本体３とカバー４との間には空間１０が画成されており、この空間１０内には、音響システム１１の構成要素として、音声チップ１２や、スピーカ１３、バッテリ１４、マイク１５が内装されている。カバー４の保持筒部４ｂ内に形成された空隙４ｅ内には、ストロー側スイッチ２１が設置されている。また、カバー４の上面には３つのスイッチ保持孔４ｆが形成されており、これらスイッチ保持孔４ｆに３つの蓋側スイッチがそれぞれ嵌め込まれている。カップ１内の飲料Ｂが第１ストロー５と第２ストロー６との間の空隙４ｅに流入すると、第２ストロー６の飲料Ｂと子供の体とを介してストロー側スイッチ２１と蓋側スイッチ２２Ａとが電気的に接続される。【選択図】図３
2006240740.tif 000002
【特許請求の範囲】
【請求項１】
カップ状飲料容器の上端に装着され、飲料の吸い出しに供されるストローを備えた飲料容器の蓋であって、
音響信号を記録した音響信号記録手段と、
前記音響信号記録手段に記録された音響信号に基づき、所定の音響を外部に出力する音響出力手段と、
当該音響出力手段に電力を供給する電力供給手段と、
前記音響出力手段を起動させるスイッチと
を備えたことを特徴とする飲料容器の蓋。
【請求項２】
前記スイッチは、前記飲料の前記ストロー内での流通によって前記音響出力手段を起動させる側に作動するストロー側スイッチを含むことを特徴とすることを特徴とする、請求項１に記載の飲料容器の蓋。
【請求項３】
前記スイッチは、利用者の接触によって前記音響出力手段を起動させる側に作動する蓋側スイッチを更に含むことを特徴とすることを特徴とする、請求項２に記載の飲料容器の蓋
【請求項４】
前記ストロー側スイッチおよび前記蓋側スイッチが共に電極センサであり、利用者の身体を介して当該ストロー側スイッチと当該蓋側スイッチとが導通することにより、前記音響出力手段に前記電力供給手段からの電力が供給されることを特徴とする、請求項３に記載の飲料容器の蓋。
【請求項５】
前記音響信号記録手段に複数種の音響信号が記録されると共に、これら複数種の音響信号から所望のものを選択すべく、前記蓋側スイッチが複数設けられていることを特徴とする、請求項３または請求項４に記載の飲料容器の蓋。
【請求項６】
前記音響信号記録手段に外部の音響を記録させる録音手段を更に備えたことを特徴とする、請求項１〜請求項５のいずれか一項に記載の飲料容器の蓋。
【請求項７】
請求項１〜請求項６に記載の蓋を備えたことを特徴とするカップ状飲料容器。
【発明の詳細な説明】
【技術分野】
【０００１】
本発明は、飲料容器の蓋とこの蓋を備えた飲料容器に関する。
【背景技術】
【０００２】
ファーストフード店やコンビニエンスストアでは、清涼飲料や乳飲料、コーヒー等がディスペンサーからカップ状飲料容器（以下、単にカップと記す）に小分けされて販売されることがある。カップは、通常、紙や軟質プラスチック等を素材とする逆円錐台形状を呈しており、持ち運びの際等に飲料がこぼれることを防ぐため、その上端に透明な蓋が装着される（特許文献１参照）。一般に、蓋にはストロー用の穴や切れ込みが形成されており、これら穴や切れ込みからストローを差し込むことにより、蓋を外さずに飲料を飲むことができる。
【特許文献１】特開２００４−１８９２号公報
【発明の開示】
【発明が解決しようとする課題】
【０００３】
上述したカップの主な消費層は幼い子供であるため、多くの場合、カップの外周には趣向を凝らした絵や模様が印刷されている。しかしながら、絵や模様だけでは幼い子供の心を惹きつけることは難しく、遊び心や好奇心を更に喚起する方法が望まれていた。また、牛乳等は、成長期の子供にとって有効な飲料であるが、必ずしも飲みやすいものではないため、飲むことに何らかの喜びを与える方法が求められていた。
【０００４】
本発明は、このような背景に鑑みなされたもので、音楽や音声等を聴きながら飲料を飲むことのできる飲料容器の蓋と、この蓋を備えたカップ状飲料容器とを提供することを目的とする。
【課題を解決するための手段】
【０００５】
請求項１に係る飲料容器の蓋は、カップ状飲料容器の上端に装着され、飲料の吸い出しに供されるストローを備えた飲料容器の蓋であって、音響信号を記録した音響信号記録手段と、前記音響信号記録手段に記録された音響信号に基づき、所定の音響を外部に出力する音響出力手段と、当該音響出力手段に電力を供給する電力供給手段と、前記音響出力手段を起動させるスイッチとを備えたことを特徴とする。
【０００６】
また、請求項２に係る飲料容器の蓋は、請求項１に記載の飲料容器の蓋において、前記スイッチは、前記飲料の前記ストロー内での流通によって前記音響出力手段を起動させる側に作動するストロー側スイッチを含むことを特徴とすることを特徴とする。
【０００７】
また、請求項３に係る飲料容器の蓋は、請求項２に記載の飲料容器の蓋において、前記スイッチは、利用者の接触によって前記音響出力手段を起動させる側に作動する蓋側スイッチを更に含むことを特徴とすることを特徴とする。
【０００８】
また、請求項４に係る飲料容器の蓋は、請求項３に記載の飲料容器の蓋において、前記ストロー側スイッチおよび前記蓋側スイッチが共に電極センサであり、利用者の身体を介して当該ストロー側スイッチと当該蓋側スイッチとが導通することにより、前記音響出力手段に前記電力供給手段からの電力が供給されることを特徴とする。
【０００９】
また、請求項５に係る飲料容器の蓋は、請求項３または請求項４に記載の飲料容器の蓋において、前記音響信号記録手段に複数種の音響信号が記録されると共に、これら複数種の音響信号から所望のものを選択すべく、前記蓋側スイッチが複数設けられていることを特徴とする。
【００１０】
また、請求項６に係る飲料容器の蓋は、請求項１〜請求項５のいずれか一項に記載の飲料容器の蓋において、前記音響信号記録手段に外部の音響を記録させる録音手段を更に備えたことを特徴とする。
【００１１】
また、請求項７に係るカップ状飲料容器は、請求項１〜請求項６に記載の蓋を備えたことを特徴とする。
【発明の効果】
【００１２】
請求項１の飲料容器の蓋によれば、例えばカップ状飲料容器を持った子供等がスイッチを操作することにより、音響出力手段から音楽等が流れ、心地よく飲料を飲むことができる。また、請求項２の飲料容器の蓋によれば、ストローで飲料を吸い込むときにだけ音楽等が流れるため、飲みにくい牛乳等であっても飲ませやすくなる。また、請求項３の飲料容器の蓋によれば、蓋側スイッチに触れなければ音楽等が流れないため、静粛さが要求される場所等でも飲料を飲むことができる。また、請求項４の飲料容器の蓋によれば、スイッチとして電極を用いることにより、安価で故障の少ない構成とすることができる。また、請求項５の飲料容器の蓋によれば、例えばカップ状飲料容器を持った子供等がスイッチを適宜選択することにより、好きな音楽や音声等を流すことができる。また、請求項６の飲料容器の蓋によれば、子供に聞かせたい音声等を音響信号記録手段に自由に録音することができる。
【発明を実施するための最良の形態】
【００１３】
以下、図面を参照して、本発明を適用した飲料容器の蓋を詳細に説明する。
図１は実施形態に係る蓋が装着されたカップ状飲料容器の斜視図であり、図２は実施形態に係る蓋が装着されたカップ状飲料容器の縦断面図であり、図３は図２中のIII部拡大図であり、図４は実施形態に係る音響システムの概略構成を示すブロック図であり、図５は実施形態の作用を示す説明図である。
【００１４】
≪実施形態の構成≫
図１，図２に示すように、カップ状飲料容器（以下、カップと記す）１は、断熱性に優れたポリスチレンペーパー等を素材とする逆円錐台形状を呈したものであり、その上部（開放端）に蓋２が装着されている。カップ１の上端外周面には雌ねじ１ａが形成される一方、蓋２の内周面にはカップ１の雌ねじ１ａに螺合する雄ねじ２ａが形成されており、蓋２をカップ１にねじ込むことによって両者が一体化され、カップ１に蓄えられた飲料Ｂが容易にこぼれないようになる。なお、このようなねじ構造に代えて、カップ１の上端に環状の凸部を形成し、蓋２に環状の凹部を形成することにより、カップ１への蓋２の装着がワンタッチで行えるようにしてもよい。
【００１５】
蓋２は、有底円筒形状を呈する蓋本体３と、円盤形状のカバー４とを外殻とするとともに、直管形状の第１ストロー５とＬ字形状に屈曲した第２ストロー６とを備えている。蓋本体３は、ポリプロピレン等を素材とする射出成形品であり、上面に突設されてカバー４が外嵌する環状凸部３ａと、下面に突設されて第１ストロー５を保持する保持筒部３ｂとを有している。また、カバー４は、これもポリプロピレン等を素材とする射出成形品であり、その外縁から下方に延設されて蓋本体３の環状凸部３ａに外嵌する環状フランジ７ａと、上面に突設されて第２ストロー６を保持する保持筒部４ｂとを有している。
【００１６】
図４にも示すように、蓋本体３とカバー４との間には空間１０が画成されており、この空間１０内には、音響システム１１の構成要素として、音声チップ（音響信号記録手段）１２や、スピーカ（音響出力手段）１３、バッテリ（電力供給手段）１４、マイク（録音手段）１５が内装されている。本実施形態の場合、音声チップ１２には、音楽や音声等の音響信号が３種類記録されている。また、スピーカ１３は、防水および増幅機能を有するポリエステルフィルムに包まれており、カバー４の下面に突設された環状保持部４ｃに保持されるとともに、発生した音響がカバー４に穿設された多数の小孔４ｄから外部に放出される。また、マイク１５は、例えば後述する蓋側スイッチ２２Ａ，２２Ｂ，２２Ｃに２つ（あるいは、３つ）同時に触れることで、外部の音響を取得して音声チップ１２に録音する。
【００１７】
カバー４の保持筒部４ｂ内では、第１ストロー５と第２ストロー６との間に空隙４ｅが形成されており、この空隙４ｅ内にストロー側スイッチ（電極）２１が設置されている。また、カバー４の上面には３つのスイッチ保持孔４ｆが形成されており、図１に示すように、これらスイッチ保持孔４ｆに３つの蓋側スイッチ（電極）２２Ａ，２２Ｂ，２２Ｃがそれぞれ嵌め込まれている。ストロー側スイッチ２１および蓋側スイッチ２２Ａ，２２Ｂ，２２Ｃは、上述した音声チップ１２や、スピーカ１３、バッテリ１４と伴に音響システム１１を構成する。
【００１８】
図４に示すように、音響システム１１では、音声チップ１２にバッテリ１４からの電流が印可されており、蓋側スイッチ２２Ａ，２２Ｂ，２２Ｃのいずれか１つとストロー側スイッチ２１とが電気的に接続されることにより、音声チップ１２からスピーカ１３に所定の駆動電流が出力される。
【００１９】
≪実施形態の作用≫
本実施形態の場合、図５に示すように、子供が、片手の指先Ｆで蓋２（カバー４）の上面にある蓋側スイッチ２２Ａを押さえながら、第２ストロー６をくわえてカップ１に入った飲料Ｂを吸い込む。すると、図３に示すように、カップ１内の飲料Ｂが第１ストロー５と第２ストロー６との間の空隙４ｅに流入し、ストロー側スイッチ２１が飲料Ｂに浸漬され、図５に破線で示すように、第２ストロー６内の飲料Ｂと子供の体とを介してストロー側スイッチ２１と蓋側スイッチ２２Ａとが電気的に接続される。
【００２０】
これにより、音声チップ１２からスピーカ１３に駆動電流が出力され、例えばスピーカ１３（カバー４の小孔４ｄ）から気持を浮き立たせる音楽が流れ、牛乳等の飲みにくい飲料であっても、子供が喜んで飲むようになる。また、別の蓋側スイッチ２２Ｂ，２２Ｃを押さえながら飲料Ｂを吸い込むと、別の音楽や音声（例えば、母親の声等）が流れ、子供を飽きさせることがない。また、子供が音楽や音声を聞きたくないときや、静粛性が要求される場所にいる場合には、蓋側スイッチ２２Ａ，２２Ｂ，２２Ｃに触れなければよい。
【００２１】
音声チップ１２には、蓋２を製造するメーカで予め所定の音楽やメッセージ等が記録されているが、マイク１５を用いることによって母親が子供をあやす声や英語、九九算等を録音することができる。
【００２２】
以上で具体的実施形態の説明を終えるが、本発明は上記実施形態に限定されることなく幅広く変形実施することができる。例えば、上記実施形態ではストロー側スイッチと蓋側スイッチとを人体を介して電気的に接続させることによってスピーカから音響が流れるようにしたが、ストロー側スイッチと蓋側スイッチとのどちらか一方のみで音響システムが作動するようにしてもよい。また、上記実施形態では蓋側スイッチを３つとしたが、２つ以下としてもよいし、４つ以上としてもよい。また、蓋本体やカバーに発光ダイオードを組み込み、音楽や音声が流れると同時にイルミネーションが点滅するようにしてもよいし、カバーを透明にし、蓋本体とカバーとの間の空間に回転する模様板を組み込むようにしてもよい。その他、蓋本体やカバー、カップの具体的形状をはじめ、音響システムの具体的構成等についても、本発明の趣旨を逸脱しない範囲で適宜変更可能である。
【図面の簡単な説明】
【００２３】
【図１】実施形態に係る蓋が装着されたカップ状飲料容器の斜視図である。
【図２】実施形態に係る蓋が装着されたカップ状飲料容器の縦断面図である。
【図３】図２中のIII部拡大図である。
【図４】実施形態に係る音響システムの概略構成を示すブロック図である。
【図５】実施形態の作用を示す説明図である。
【符号の説明】
【００２４】
１      カップ
２      蓋
３      蓋本体
４      カバー
５      第１ストロー
６      第２ストロー
１０    空間
１１    音響システム
１２    音声チップ（音響信号記録手段）
１３    スピーカ（音響出力手段）
１４    バッテリ（電力供給手段）
１５    マイク（録音手段）
２１    ストロー側スイッチ
２２Ａ  蓋側スイッチ
２２Ｂ  蓋側スイッチ
２２Ｃ  蓋側スイッチ
Ｂ      飲料
【図１】
2006240740.tif 000003
【図２】
2006240740.tif 000004
【図３】
2006240740.tif 000005
【図４】
2006240740.tif 000006
【図５】
2006240740.tif 000007